(57)【要約】【課題】高速移動中に頻繁に起こるハンドオーバー処理の中で必要なハンドオーバー以外は行わず、消費電力を低減すること。【解決手段】通信履歴記憶部１０９にはハンドオーバー情報が記憶されている。復調部１０６は復調した受信信号の受信レベルが所定値以上の場合に、ハンドオーバー情報を比較部１０７に出力する、比較部１０７は入力された前記の情報と通信履歴記憶部１０９の記憶内容とを比較する。ハンドオーバー制御部１０８は、比較結果が一致している場合、基地局装置との無線通信を停止し、その後、一定の条件下に通信履歴記憶部１０９の記憶内容に基づいて、基地局装置との無線通信を再び開始する。比較結果が一致しない場合、ハンドオーバー情報は、比較部１０７から通信履歴更新部１１０に出力され、通信履歴記憶部１０９の記憶内容を更新するかが決定される。【選択図】　　　図１
2004129001.tif 000002
【特許請求の範囲】
【請求項１】
複数の基地局装置と無線通信する移動通信端末装置において、無線通信した基地局装置との通信履歴を記憶する記憶手段と、ハンドオーバー時に、前記記憶手段に記憶される通信履歴中のハンドオーバー情報と現在のハンドオーバー情報とを比較する比較手段と、前記比較手段の比較結果と前記記憶手段の記憶内容とに基づいてハンドオーバーの実行、停止及び再開を制御する制御手段と、を具備することを特徴とする移動通信端末装置。
【請求項２】
前記記憶手段は、無線通信した基地局装置との前記通信履歴として、現在通信を行っている基地局装置の識別情報と新規に通信を確立する基地局装置の識別情報とからなるハンドオーバー情報と、ハンドオーバーの実行時刻と、を記憶することを特徴とする請求項１記載の移動通信端末装置。
【請求項３】
前記記憶手段に記憶されている無線通信した基地局装置との通信履歴を前記比較手段の比較結果に基づいて更新する更新手段、を具備することを特徴とする請求項１又は請求項２記載の移動通信端末装置。
【発明の詳細な説明】
【０００１】
【発明の属する技術分野】
本発明は、移動通信端末装置に関する。
【０００２】
【従来の技術】
移動体通信においては、移動する移動通信端末装置が現在無線通信中の基地局装置が管理する無線ゾーン（以下、「セル」という）から外れる場合に、次に無線通信すべき基地局装置との通信を確立するいわゆるハンドオーバー処理を行う。
【０００３】
その場合、移動通信端末装置は、現在通信を行っている基地局装置（以下、「ハンドオーバー元基地局装置」という）に隣接する基地局装置の中から次に通信を行う基地局装置（以下、「ハンドオーバー先基地局」という）を検出する。
【０００４】
【発明が解決しようとする課題】
しかしながら、移動通信端末装置が高速移動している場合、セル間の移動が頻繁に起こるので、通信先の無線基地局を切り替えるハンドオーバー処理が頻発する。その結果、移動通信端末装置の処理負荷が極めて大きくなり、消費電力が非常に増加するという問題を有していた。
【０００５】
本発明は、かかる点に鑑みてなされたものであり、ユーザーの生活習慣による決まった経路の高速移動中では必要なハンドオーバーのみを行うように制御できる移動通信端末装置を提供することを目的とする。
【０００６】
【課題を解決するための手段】
本発明の移動通信端末装置は、複数の基地局装置と無線通信する移動通信端末装置において、無線通信した基地局装置との通信履歴を記憶する記憶手段と、ハンドオーバー時に、前記記憶手段に記憶される通信履歴中のハンドオーバー情報と現在のハンドオーバー情報とを比較する比較手段と、前記比較手段の比較結果と前記記憶手段の記憶内容とに基づいてハンドオーバーの実行、停止及び再開を制御する制御手段と、を具備する構成を採る。
【０００７】
この構成によれば、予め記憶手段に記憶する基地局装置との通信履歴を用いて、ハンドオーバーの実行、停止及び再開を制御することができるので、ユーザーの生活習慣による決まった経路の高速移動中では、必要なハンドオーバーのみを行い、不要なハンドオーバーは停止することができる。その結果、ハンドオーバーの停止によって、移動通信端末装置と基地局装置との無線通信が切断されるので、消費電力が低減でき、移動通信端末装置のバッテリーセービングを図ることができる。
【０００８】
本発明の移動通信端末装置は、上記の発明において、前記記憶手段は、無線通信した基地局装置との前記通信履歴として、現在通信を行っている基地局装置の識別情報と新規に通信を確立する基地局装置の識別情報とからなるハンドオーバー情報と、ハンドオーバーの実行時刻と、を記憶する構成を採る。
【０００９】
この構成によれば、記憶手段には、予めユーザーの生活習慣による決まった経路においてハンドオーバーを実施することによって、無線通信した基地局装置との前記通信履歴として、現在通信を行っている基地局装置の識別情報と新規に通信を確立する基地局装置の識別情報とからなるハンドオーバー情報とハンドオーバーの実行時刻とを記憶することができる。
【００１０】
本発明の移動通信端末装置は、上記の発明において、前記記憶手段に記憶されている無線通信した基地局装置との通信履歴を前記比較手段の比較結果に基づいて更新する更新手段、を具備する構成を採る。
【００１１】
この構成によれば、記憶手段に記憶する通信履歴は、必要に応じて更新することができる。
【００１２】
【発明の実施の形態】
本発明の骨子は、移動通信端末装置が、ユーザーの生活習慣による決まった経路での基地局装置とのハンドオーバー時通信履歴を用意し、その通信履歴を用いて、ハンドオーバーの実行、停止及び再開が制御できるようすることである。
【００１３】
以下、本発明の実施の形態について図面を用いて詳細に説明する。
【００１４】
（一実施の形態）
図１は、本発明の一実施の形態に係る移動通信端末装置の構成を示すブロック図である。
【００１５】
図１において、送信部１０１は、変調された音声やデータなどの送信データを広帯域の送信ベースバンド信号に変換して無線部１０２に出力する。無線部１０２は、送信部１０１から入力された送信ベースバンド信号を送信無線信号に周波数変換してアンテナ１０３に出力する。アンテナ１０３は、無線部１０２から入力された送信無線信号を基地局装置に向けて送信する。
【００１６】
基地局装置から送信されてきた無線信号は、アンテナ１０３にて受信され、受信無線信号として無線部１０２に入力される。無線部１０２は、アンテナ１０３から入力された受信無線信号を受信ベースバンド信号に周波数変換して受信部１０４に出力する。
【００１７】
受信部１０４は、フィルタ部１０５と、復調部１０６と、比較部１０７と、ハンドオーバー制御部１０８と、通信履歴記憶部１０９と、通信履歴更新部１１０とを備えている。
【００１８】
フィルタ部１０５は、無線部１０２から出力された受信ベースバンド信号に対してフィルタリングを行い、所望帯域に制限した受信ベースバンド信号を復調部１０６に出力する。
【００１９】
復調部１０６は、フィルタ部１０５にて帯域制限された受信ベースバンド信号を復調し、それを受信データとして出力する。また、復調部１０６は、復調した受信信号の信号レベルが所定の値以上の場合に、基地局装置と通信可能である旨とハンドオーバー情報とを比較部１０７に出力する。なお、ハンドオーバー情報は、ハンドオーバー元基地局装置の識別情報とハンドオーバー先基地局装置の識別情報とからなる。
【００２０】
比較部１０７は、復調部１０６から入力されたハンドオーバー情報と通信履歴記憶部１０９に記憶された通信履歴とを比較して必要なハンドオーバーであるか否かを判定し、その判定結果をハンドオーバー制御部１０８に出力する。また、比較部１０７は、復調部１０６から入力されたハンドオーバー情報と通信履歴記憶部１０９に記憶された通信履歴とを比較し、ハンドオーバー情報が通信履歴と一致しない場合に、そのハンドオーバー情報を通信履歴更新部１１０に出力する。
【００２１】
ハンドオーバー制御部１０８は、比較部１０７から入力された必要なハンドオーバーであるか否かの判定結果と通信履歴記憶部１０９の記憶内容とを用いて、当該移動通信端末装置のハンドオーバー処理を含む無線通信の制御を行う。
【００２２】
通信履歴更新部１１０は、比較部１０７から入力されたハンドオーバー情報を通信履歴として記憶する必要があるか否かを判定し、必要がある場合は、その必要があると認識したハンドオーバー情報を通信履歴記憶部１０９に出力する。
【００２３】
通信履歴記憶部１０９は、例えば図２に示すようなハンドオーバー履歴テーブルを備えている。このハンドオーバー履歴テーブルには、ハンドオーバー情報であるハンドオーバー元基地局装置の識別情報２０１及びハンドオーバー先基地局装置の識別情報２０２と、ハンドオーバー実行時刻２０３と、ハンドオーバー経路識別子２０４とを互いに関連付けて記憶するようになっている。
【００２４】
これらの情報は、予めユーザーの生活習慣による決まった経路において、経路上の各基地局装置との間でハンドオーバーを実施して取得されたハンドオーバー時の通信履歴である。そして、これらの記憶内容は、通信履歴更新部１１０によって、必要に応じて更新される。
【００２５】
図２おいて、このハンドオーバー履歴テーブルによれば、経路識別子Ｒ３２２で示される連続したハンドオーバーの一部として、例えば、識別情報がＣ３０１の基地局装置のセルから識別情報がＣ３０２の基地局装置のセルへのハンドオーバーが時刻Ｔ２０１にて実行されたことわかる。
【００２６】
次に、図１〜図４を参照して、以上のように構成される移動通信端末装置において実施されるハンドオーバーの制御動作について説明する。なお、図３は、移動通信端末装置と基地局装置との位置関係を示す概念図である。図４は、移動通信端末装置におけるハンドオーバーの制御動作を示すフローチャート図である。
【００２７】
図３において、セル３１１は、基地局装置３０１が管理する無線ゾーンを示す。同様に、セル３１２〜３１６は、それぞれ基地局装置３０２〜３０６が管理する無線ゾーンを示す。
【００２８】
現在、セル３１１内に居て基地局装置３０１と無線通信を行っている移動通信端末装置３２１がセル３１５に至る移動経路として、セル３１１からセル３１２，セル３１３，セル３１４を経由してセル３１５に至る移動経路３２２と、セル３１１からセル３１６，セル３１３，セル３１４を経由してセル３１５に至る移動経路３２３とが示されている。
【００２９】
移動通信端末装置３２１は、現在のセルから外れる度に、次に無線通信すべき基地局装置との通信を確立するいわゆるハンドオーバー処理を行う。このハンドオーバー処理の一つとして、本実施の形態では、次のような動作が行われる。
【００３０】
即ち、移動通信端末装置３２１では、復調部１０６においてハンドオーバー先基地局装置が検出される度に、比較部１０７にて復調部１０６から入力されるハンドオーバー情報と通信履歴記憶部１０９に記憶されるハンドオーバー情報とが比較される。一致した場合には、ハンドオーバー制御部１０８は、ハンドオーバーを停止する。その結果、移動通信端末装置３２１は、無線通信を停止して、セル間を移動することになる。
【００３１】
このとき、ハンドオーバー制御部１０８は、移動通信端末３２１が、通信履歴記憶部１０９に記憶されているハンドオーバー経路識別子が示すのと同一の移動を開始したと判断して無線通信を切断することにより、不要なハンドオーバー処理を回避する。そして、通信履歴記憶部１０９において同一のハンドオーバー経路識別子をもつ最もハンドオーバー実行時刻が遅い時刻まで、無線通信の切断を継続する。以下、具体的に説明する。
【００３２】
図２では、通信履歴記憶部１０９のハンドオーバー履歴テーブルには、移動経路３２２でのハンドオーバー情報及びハンドオーバー実行時刻が記憶されているとしている。即ち、図２おいて、ハンドオーバー元基地局装置の識別情報２０１の欄におけるＣ３０１〜Ｃ３０４と、ハンドオーバー先基地局装置の識別情報２０２の欄におけるＣ３０２〜Ｃ３０５とは、図３における基地局３０１〜３０５の識別情報に対応している。また、ハンドオーバー経路識別子２０４の欄におけるＲ３２２は、図３における移動経路３２２の経路識別子に対応している。
【００３３】
そして、ハンドオーバー実行時刻２０３の欄におけるＴ２０１，Ｔ２０２，Ｔ２０３，Ｔ２０４は、それぞれ、図３におけるセル３１１とセル３１２との境界、セル３１２とセル３１３との境界、セル３１３とセル３１４との境界、セル３１４とセル３１５との境界においてハンドオーバーを実行する時刻に対応している。図３では、セル３１５が最終到達セルであるので、セル３１４とセル３１５との境界においてハンドオーバーを実行する時刻Ｔ２０４が、上記した最も遅い時刻ということになる。
【００３４】
図３において、基地局装置３０１と無線通信を行っている移動通信端末装置３２１が、移動経路３２２を移動する場合を説明する。待ち受け状態にある移動通信端末装置３２１がセル３１２に向かうと、セル３１１とセル３１２の境界付近では、復調部１０６は、受信レベルがハンドオーバーの実施レベルとして定められる所定値以上である場合に、ハンドオーバー元である基地局装置３０１の識別情報Ｃ３０１及びハンドオーバー先である基地局装置３０２の識別情報Ｃ３０２からなるハンドオーバー情報とを比較部１０７に出力する。
【００３５】
比較部１０７は、復調部１０６からのハンドオーバー情報と通信履歴記憶部１０９に記憶されているハンドオーバー情報とを比較する。この場合の両ハンドオーバー情報は、共にＣ３０１，Ｃ３０２であり、一致するので、ハンドオーバー処理は不要である旨が比較部１０７からハンドオーバー制御部１０８に出力される。ハンドオーバー制御部１０８は、この時点から、通信履歴記憶部１０９において同一のハンドオーバー経路識別子Ｒ３２２をもつ最もハンドオーバー実行時刻が遅い時刻まで、無線通信の切断を継続する。
【００３６】
移動通信端末３２１は、通信履歴記憶部１０９において同一のハンドオーバー経路識別子Ｒ３２２をもつ最も遅いハンドオーバー実行時刻（図２のＴ２０４）になると、このハンドオーバー実行時刻に対応するハンドオーバー先基地局（図２のＣ３０５）にハンドオーバーする。つまり、移動通信端末装置３２１は、セル３１５への移動が終了する時刻において、通信履歴記憶部１０９に記憶されたハンドオーバー先基地局である無線基地局装置３０５にハンドオーバーして無線通信を再開する。
【００３７】
次に、移動通信端末装置３２１が移動経路３２３を移動した場合を説明する。セル３１１とセル３１６との境界付近と、セル３１６とセル３１３との境界付近とでは、ハンドオーバー情報が通信履歴記憶部１０９の記憶内容と一致しない。したがって、ハンドオーバー制御部１０８は、セル３１１からセル３１６に移る場合及びセル３１６からセル３１３に移る場合にはハンドオーバーを実行する。
【００３８】
一方、セル３１３からセル３１４に移る場合には、セル３１３とセル３１４の境界付近におけるハンドオーバー情報は、通信履歴記憶部１０９の記憶内容と一致しているので、ハンドオーバー制御部１０８は移動通信端末装置３２１の無線通信を停止し、通信履歴記憶部１０９の記憶内容に基づき、セル３１５への移動が終了する時刻において、無線基地局装置３０５と無線接続を再開する。つまり、移動経路３２３を通った場合には、移動の途中からハンドオーバー経路識別子Ｒ３２２と同経路の移動となるので、同経路になった段階からハンドオーバー経路識別子Ｒ３２２に基づいた制御を行う。
【００３９】
図４は、以上説明したハンドオーバー制御動作を整理して示したフローチャートである。図４において、ステップＳＴ４０１では、移動通信端末装置は、復調部１０６で復調した新規通信候補の基地局装置からの受信信号の信号レベルが所定値以上であるか否かを確認する。ステップＳＴ４０１にて、受信信号の信号レベルが所定値以上でない場合は（ステップＳＴ４０１：Ｎｏ）、ステップＳＴ４０２に進み、移動通信端末装置は、現在の基地局装置との無線接続を継続する。
【００４０】
一方、ステップＳＴ４０１にて、受信信号の信号レベルが所定値以上である場合は（ステップＳＴ４０１：Ｙｅｓ）、ステップＳＴ４０３に進み、移動通信端末装置は、復調部１０６から出力されたハンドオーバー情報と通信履歴記憶部１０９の記憶内容とが一致するか否かを確認する。
【００４１】
即ち、ステップＳＴ４０３では、前記ハンドオーバー情報と通信履歴記憶部１０９の記憶内容において、ハンドオーバー元基地局装置の識別情報、ハンドオーバー先基地局装置の識別情報及びハンドオーバー実行時刻の比較が行われる。但し、ハンドオーバー実行時刻は、一定値のずれまでは、一致したものとする。
【００４２】
ステップＳＴ４０３にて、前記ハンドオーバー情報と通信履歴記憶部１０９の記憶内容とが一致した場合は（ステップＳＴ４０３：Ｙｅｓ）、ステップＳＴ４０４に進み、移動通信端末装置は、ハンドオーバーを停止し、全ての基地局装置との無線通信を切断する。
【００４３】
次いでステップＳＴ４０５にて、移動通信端末装置は、通信履歴記憶部１０９の記憶内容に基づいて、今回のハンドオーバー経路において最終到達セルへの移動が完了する時刻であるか否かを確認する。ステップＳＴ４０５にて、最終到達セルへの移動が完了する時刻でない場合は（ステップＳＴ４０５：Ｎｏ）、移動通信端末装置は、全ての基地局装置との無線通信の切断を継続する。
【００４４】
そして、ステップＳＴ４０５にて、最終到達セルへの移動が完了する時刻である場合は（ステップＳＴ４０５：Ｙｅｓ）、ステップＳＴ４０６に進み、移動通信端末装置は、無線履歴記憶部１０９の記憶内容にあるハンドオーバー先基地局装置との無線通信を確立する。
【００４５】
また、先のステップＳＴ４０３において、前記ハンドオーバー情報と通信履歴記憶部１０９の記憶内容とが一致しない場合は（ステップＳＴ４０３：Ｎｏ）、ステップＳＴ４０７に進み、移動通信端末装置は、ハンドオーバーを実行し、通信先の基地局装置をハンドオーバー元基地局装置からハンドオーバー先基地局装置に切り替える。
【００４６】
次いでステップＳＴ４０８にて、移動通信端末装置は、通信履歴記憶部１０９の記憶内容を、ステップＳＴ４０７にて無線通信を確立した基地局装置のハンドオーバー情報に更新するか否かを確認する。このステップＳＴ４０８では、前記ハンドオーバー情報が、高速移動中のものであるか否か、及び決まった経路を移動するというユーザーの生活習慣に関係するものであるか否かを判定し、通信履歴記憶部１０９の記憶内容を更新するか否かを決定する。
【００４７】
高速移動中におけるハンドオーバー情報であるか否かは、ハンドオーバーの間隔によって決定する。また、ユーザーの生活習慣に関係するものであるか否かは、その後の復調部１０６から出力されるハンドオーバー情報と一致したハンドオーバー情報が一定頻度以上の頻度で出力されるか否かで判定する。一致したハンドオーバー情報が一定頻度以上の頻度で出力された場合には、ユーザーの生活習慣に関係があるものとする。
【００４８】
ステップＳＴ４０８において、前記基地局装置のハンドオーバー情報に更新しない場合は（ステップＳＴ４０８：Ｎｏ）、ステップＳＴ４０９に進み、移動通信端末装置は、通信履歴記憶部１０９の記憶内容を現在のまま保持する。
【００４９】
また、ステップＳＴ４０８において、前記基地局装置のハンドオーバー情報に更新する場合は（ステップＳＴ４０８：Ｙｅｓ）、ステップＳＴ４１０に進み、移動通信端末装置は、通信履歴記憶部１０９の記憶内容として前記ハンドオーバー情報を記憶する。
【００５０】
このように、本実施の形態に係る移動通信端末装置によれば、決まった経路を移動するというユーザーの生活習慣に着目し、予めその決まった経路においてハンドオーバー時の基地局装置との通信履歴を予め用意し、それを用いてハンドオーバーの実行、停止及び再開の制御を行うようにしたので、決まった経路を高速移動する場合の不要なハンドオーバーを停止することができる。
【００５１】
これによって、移動通信端末装置は、基地局装置との無線通信を切断することになるので、消費電力の低減が図れ、移動通信端末装置のバッテリーセービングを図ることができる。また、ハンドオーバーの停止を解除して無線通信を再開する基地局装置は、上記の通信履歴に含まれているので、基地局装置の検出に必要な時刻を短縮することができる。
【００５２】
【発明の効果】
以上説明したように、本発明によれば、決まった経路を移動するというユーザーの生活習慣に対応したハンドオーバー情報を用いて、ハンドオーバーの実行、停止及び再開の制御を行うことができるので、高速移動中に頻繁に起こるハンドオーバー処理の中で必要なハンドオーバー以外は行わないようにすることができ、消費電力を低減することができる。
【図面の簡単な説明】
【図１】本発明の一実施の形態に係る移動通信端末装置の構成を示すブロック図
【図２】図１に示す通信履歴記憶部の記憶内容を示す図
【図３】移動通信端末装置と基地局装置との位置関係を示す概念図
【図４】移動通信端末装置におけるハンドオーバーの制御動作を示すフローチャート図
【符号の説明】
１０１　送信部
１０２　無線部
１０３　アンテナ
１０４　受信部
１０５　フィルタ部
１０６　復調部
１０７　比較部
１０８　ハンドオーバー制御部
１０９　通信履歴記憶部
１１０　通信履歴更新部
【図１】
2004129001.tif 000003
【図２】
2004129001.tif 000004
【図３】
2004129001.tif 000005
【図４】
2004129001.tif 000006